(57)【要約】【課題】アングル映像の表示態様、特に複数のアングル映像を同時に表示する場合の表示位置に関して編集者の意図を反映することができる映像編集装置、映像再生装置等を提供すること。【解決手段】映像編集装置は、マルチアングル期間におけるアングル映像の表示態様を定義するための表示定義データをＤＶＤ規格のナビゲーションパックＮＶのＤＳＩパケットのＤＳＩデータ部の未使用領域に配置する。映像再生装置は、この未使用領域Ｕｎ＿ＵＳＥから表示定義データを取得して、この表示定義データに従って映像合成を行い、映像表示部に表示する。これにより、各アングル映像の表示位置、サイズ等を編集者が定義したように再生することが可能となる。【選択図】図３
2005191826.tif 000002
【特許請求の範囲】
【請求項１】
複数のアングル映像を記録した編集用情報蓄積手段から、任意のアングル映像を取得して表示することができるマルチアングル機能が作動するマルチアングル期間におけるアングル映像の表示態様を定義する表示定義データを設定する表示態様設定手段と、
前記表示定義データを所定領域に配置する多重化手段とを備えたことを特徴とする映像編集装置。
【請求項２】
前記多重化手段は、前記表示定義データを、ＤＶＤ規格にあるナビゲーションパックのＤＳＩパケットのＤＳＩデータ部のうち未使用領域に配置することを特徴とする請求項１に記載の映像編集装置。
【請求項３】
前記多重化手段は、前記表示定義データを、ＭＰＥＧ２ビデオストリームにおけるピクチャ層のユーザデータ領域に配置することを特徴とする請求項１に記載の映像編集装置。
【請求項４】
前記表示定義データは、アングル映像の表示位置を定義するフレーム配置位置又は座標配置位置を含むことを特徴とする請求項１から３のいずれかに記載の映像編集装置。
【請求項５】
前記表示定義データは、アングル映像のサイズを定義する縮小率を含むことを特徴とする請求項１から４のいずれかに記載の映像編集装置。
【請求項６】
前記表示定義データは、アングル映像のグループを定義するグループ番号を含むことを特徴とする請求項１から５のいずれかに記載の映像編集装置。
【請求項７】
複数のアングル映像を記録した再生用情報蓄積手段から、任意のアングル映像を取得して表示することができるマルチアングル機能が作動するマルチアングル期間において、
前記再生用情報蓄積手段から、編集者の意図が反映された表示定義データを取得して、表示制御データとして出力する表示態様制御手段と、
前記表示制御データに基づいて前記アングル映像を合成する映像合成手段とを備えたことを特徴とする映像再生装置。
【請求項８】
前記表示態様制御手段は、前記表示定義データとして、ＤＶＤ規格にあるナビゲーションパックのＤＳＩパケットのＤＳＩデータ部のうち未使用領域に記録されたデータを取得することを特徴とする請求項７に記載の映像再生装置。
【請求項９】
前記表示態様制御手段は、前記表示定義データとして、ＭＰＥＧ２ビデオストリームにおけるピクチャ層のユーザデータ領域に記録されたデータを取得することを特徴とする請求項７に記載の映像再生装置。
【請求項１０】
前記表示態様制御手段は、前記表示定義データを、アングル映像の表示位置を定義するフレーム配置位置又は座標配置位置として取得するものであり、
前記映像合成手段は、前記フレーム配置位置又は座標配置位置に前記アングル映像が表示されるように前記アングル映像を合成するものであることを特徴とする請求項７から９のいずれかに記載の映像再生装置。
【請求項１１】
前記表示態様制御手段は、前記表示定義データを、アングル映像のサイズを定義する縮小率として取得するものであり、
前記映像合成手段は、前記縮小率で前記アングル映像が表示されるように前記アングル映像を合成するものであることを特徴とする請求項７から１０のいずれかに記載の映像再生装置。
【請求項１２】
前記表示態様制御手段は、前記表示定義データを、アングル映像のグループを定義するグループ番号として取得するものであり、
前記映像合成手段は、前記グループ番号に属するアングル映像が表示されるように前記アングル映像を合成するものであることを特徴とする請求項７から１１のいずれかに記載の映像再生装置。
【請求項１３】
前記表示態様制御手段は、視聴者による前記アングル映像の切替操作、前記アングル映像の表示位置の変更操作、前記アングル映像の縮小率の変更操作、前記アングル映像のグループ番号の変更操作、前記アングル映像が複数あるときにそのうちからいくつかを選択する選択操作のうちから選ばれる少なくとも一の操作に基づく表示入力データが入力されたときは、更に、前記表示入力データに基づいて、前記表示制御データを出力することを特徴とする請求項７から１２のいずれかに記載の映像再生装置。
【請求項１４】
前記表示態様制御手段は、前記操作がアングル映像の選択操作であるときは、選択されたアングル映像の総数により定まる分割数に基づいて最適な分割タイプを求め、前記表示制御データを出力することを特徴とする請求項１３に記載の映像再生装置。
【請求項１５】
複数のアングル映像を記録した情報蓄積手段から、任意のアングル映像を取得して切替表示することができるマルチアングル機能が作動するマルチアングル期間に用いられるアングル映像の表示態様を定義する編集者の意図が反映された表示定義データが、ＤＶＤ規格にあるナビゲーションパックのＤＳＩパケットのＤＳＩデータ部のうち未使用領域に記録されたことを特徴とするアングル映像表示用データ。
【請求項１６】
複数のアングル映像を記録した情報蓄積手段から、任意のアングル映像を取得して切替表示することができるマルチアングル機能が作動するマルチアングル期間に用いられるアングル映像の表示態様を定義する編集者の意図が反映された表示定義データが、ＭＰＥＧ２ビデオストリームにおけるピクチャ層のユーザデータ領域に記録されたことを特徴とするアングル映像表示用データ。
【請求項１７】
請求項１５又は１６に記載のアングル映像表示用データを記録した記録媒体。
【請求項１８】
複数のアングル映像を記録した編集用情報蓄積手段から、任意のアングル映像を取得して表示することができるマルチアングル機能が作動するマルチアングル期間におけるアングル映像の表示態様を定義する表示定義データを設定する表示態様設定手順と、
前記表示定義データを所定領域に配置する多重化手順とからなることを特徴とする映像編集方法。
【請求項１９】
複数のアングル映像を記録した再生用情報蓄積手段から、任意のアングル映像を取得して表示することができるマルチアングル機能が作動するマルチアングル期間においては、
前記再生用情報蓄積手段から、編集者の意図が反映された表示定義データを取得して、表示制御データとして出力する表示態様制御手順と、
前記表示制御データに基づいて前記アングル映像を合成する映像合成手順とからなることを特徴とする映像再生方法。
【発明の詳細な説明】
【技術分野】
【０００１】
本発明は、映像編集装置、映像再生装置、アングル映像表示用データ及びそのアングル映像表示用データを記録した記録媒体、映像編集方法、映像再生方法に関し、更に詳しくは、光ディスクその他の記録媒体にマルチアングル期間におけるアングル映像の表示態様を定義する情報を記録するとともに、その情報に基づいて映像を再生する技術に関する。
【背景技術】
【０００２】
ＤＶＤ（Ｄｉｇｉｔａｌ  Ｖｅｒｓａｔｉｌｅ  Ｄｉｓｃ）規格の一つとして「マルチアングル機能」が周知である。このマルチアングル機能は、複数のアングル映像やその管理情報等を記録したＤＶＤから、任意のアングル映像を取得して切替表示することができる機能である。マルチアングル機能を用いればカメラ撮影映像やコンピュータグラフィック映像を最大９つまで多重化して同時に記録し、多重化された各映像（これを単に「アングル映像」ともいう）を表示することができる。
【０００３】
尚、本明細書において、マルチアングル機能が作動する期間を特に、「マルチアングル期間」という。また、「マルチアングル期間以外の期間」を単に「通常期間」という。そして、通常期間において表示されるアングル映像を特に「基本アングル映像」というが、基本アングル映像は、「アングル映像」に含まれる。そこで、両者を総称するときや、特に基本アングル映像を強調する必要がないときは、「アングル映像」という表現を用いる。
【０００４】
マルチアングル機能のうち最も基本的な機能は、図１７に示したようにアングル映像を切り替えて表示する機能である。例えば、特許文献１に開示されたマルチアングルブロック再生システム（映像再生装置）は、通常期間ではアングル映像１が表示されるが、マルチアングル期間になると視聴者によるスイッチ操作に基づいてアングル映像１→アングル映像２→アングル映像３→…が順次切り替え表示された後、通常期間に戻るとアングル映像１が表示される構成をとる。
【０００５】
しかしながら、特許文献１の例では、マルチアングル機能が実装されていても表示されるのは（１）基本アングル映像又は、（２）視聴者が選択した単一のアングル映像のみである。そのため、マルチアングル機能が実装されていても視聴者が同じタイミングで一度に視聴できるのは実際には単一のアングル映像に限られる。
【０００６】
そこで、特許文献２のように、複数のアングル映像を同時に表示することができる映像用光ディスク再生装置が提案されている。特許文献２の装置によれば、マルチアングル期間においては図１８に示したように、３台のカメラで別々の角度から撮影した男女ペアのアイドルグループ（バックダンサー付き）のダンスシーンを同時表示させることができ、通常期間においては基本アングル映像１が表示される。
【０００７】
そして、特許文献２の装置はマルチアングル期間での再生時においては、（１）複数のアングル映像を表示するのみならず、（２）視聴者が選択したアングル映像のみの表示や、（３）視聴者が選択したアングル映像のみ画質を良くした状態で全てのアングル映像を表示する、という表示制御が可能である。
【特許文献１】特開平１０−１５５１３８号公報
【特許文献２】特開２０００−１５６８４５号公報
【発明の開示】
【発明が解決しようとする課題】
【０００８】
しかしながら、特許文献２の装置（映像再生装置）は、複数のアングル映像を同時表示することはできても、アングル映像の表示位置は映像再生装置側の都合（例えば、アングル映像の映像バッファの配置方法）で決まるため、どのような映像再生装置を使用するかによって表示位置が異なる場合がある。従って、アングル映像の表示位置について編集者の意図を反映させることができなかった。
【０００９】
この問題点について具体的に説明する。図１８（ａ）（ｂ）は、男女ペア６組のダンサーのマルチアングル期間における表示例を示したものであり、アングル映像１が全体の６組の男女ペアを映した映像であり、アングル映像２がメインの男女ペアの男性アイドルをアップした映像であり、アングル映像３がメインの男女ペアの女性アイドルをアップした映像である。
【００１０】
そして、同図（ａ）が男女ペア６組の男女が入れ替わる前の表示例であり、同図（ｂ）が男女ペア６組の男女が入れ替わった後の表示例である。アングル映像１では、同図（ａ）（ｂ）に示したように男女の入れ替わりが画面上で実現されているが、アングル映像２やアングル映像３は、同図（ａ）（ｂ）を較べて判るように、アングル映像２と３の表示位置が入れ替わらないまま表示される。従来の装置では、アングル映像の表示位置は、映像再生装置に設けられるアングル映像の映像バッファの配置方法で自動的に決まり、編集者の意図を反映させることができなかったためである。
【００１１】
そのため、表示位置その他サイズ等も含む意味で、表示態様を編集者の意図に合わせて表示できる映像再生装置が所望されていた。
【００１２】
本発明は、このような事情に鑑みてなされたものであり、その第一の目的は、アングル映像の表示態様に関して編集者の意図を反映することができる映像編集装置及び映像編集方法を提供することにある。
【００１３】
本発明の第二の目的は、アングル映像の表示態様に関して編集者の意図を反映することができる映像再生装置及び映像再生方法を提供することにある。
【００１４】
本発明の第三の目的は、編集者の意図を反映することができるアングル映像表示用データ及びそのアングル映像表示用データを記録した記録媒体を提供することにある。
【課題を解決するための手段】
【００１５】
（Ａ）上記課題を解決するために、本発明に係る映像編集装置は、複数のアングル映像を記録した編集用情報蓄積手段から、任意のアングル映像を取得して表示することができるマルチアングル機能が作動するマルチアングル期間におけるアングル映像の表示態様を定義する表示定義データを設定する表示態様設定手段と、前記表示定義データを所定領域に配置する多重化手段とを備えたことを特徴とするものである。
【００１６】
この場合に、前記多重化手段は、前記表示定義データを、ＤＶＤ規格にあるナビゲーションパックのＤＳＩパケットのＤＳＩデータ部のうち未使用領域に配置する。あるいは、前記多重化手段は、前記表示定義データを、ＭＰＥＧ２ビデオストリームにおけるピクチャ層のユーザデータ領域に配置してもよい。
【００１７】
そして、前記表示定義データは、アングル映像の表示位置を定義するフレーム配置位置又は座標配置位置を含む。更に、前記表示定義データは、アングル映像のサイズを定義する縮小率や、アングル映像のグループを定義するグループ番号を含んでもよい。
【００１８】
このように、本発明に係る映像編集装置によれば、アングル映像の表示態様は、表示態様設定手段によって設定されるので、編集者の意図を反映したマルチアングル映像を編集することができる。また、表示制御データはデータ領域のうち未使用領域に配置するので、本発明に係る映像編集装置に未対応の映像再生装置でも本発明に係る映像編集装置で編集されたＤＶＤを再生可能である。また、ナビゲーションパックは再生時間にして０．４秒から１．２秒毎に参照され、ユーザデータ領域は画像１枚毎に参照されるため、細かなタイミングでの表示制御が実現できる。
【００１９】
（Ｂ）上記課題を解決するために本発明に係る映像再生装置は、複数のアングル映像を記録した再生用情報蓄積手段から、任意のアングル映像を取得して表示することができるマルチアングル機能が作動するマルチアングル期間においては、前記再生用情報蓄積手段から、編集者の意図が反映された表示定義データを取得して、表示制御データとして出力する表示態様制御手段と、前記表示制御データに基づいて前記アングル映像を合成する映像合成手段とを備えたことを特徴とする。
【００２０】
この場合に、前記表示態様制御手段は、前記表示定義データとして、ＤＶＤ規格にあるナビゲーションパックのＤＳＩパケットのＤＳＩデータ部のうち未使用領域に記録されたデータを取得する。あるいは、前記表示態様制御手段は、前記表示定義データとして、ＭＰＥＧ２ビデオストリームにおけるピクチャ層のユーザデータ領域に記録されたデータを取得してもよい。
【００２１】
この場合に、前記表示態様制御手段は、前記表示定義データを、アングル映像の表示位置を定義するフレーム配置位置又は座標配置位置として取得するものであり、前記映像合成手段は、前記フレーム配置位置又は座標配置位置に前記アングル映像が表示されるように前記アングル映像を合成する。
【００２２】
更に、前記表示態様制御手段は、前記表示定義データを、アングル映像のサイズを定義する縮小率として取得するものであり、前記映像合成手段は、前記縮小率で前記アングル映像が表示されるように前記アングル映像を合成する。
【００２３】
更に、前記表示態様制御手段は、前記表示定義データを、アングル映像のグループを定義するグループ番号として取得するものであり、前記映像合成手段は、前記グループ番号に属するアングル映像が表示されるように前記アングル映像を合成する。
【００２４】
この場合に、前記表示態様制御手段は、視聴者による前記アングル映像の切替操作、前記アングル映像の表示位置の変更操作、前記アングル映像の縮小率の変更操作、前記アングル映像のグループ番号の変更操作、前記アングル映像が複数あるときにそのうちからいくつかを選択する選択操作のうちから選ばれる少なくとも一の操作に基づく表示入力データが入力されたときは、更に、前記表示入力データに基づいて、前記表示制御データを出力する。
【００２５】
そして、前記表示態様制御手段は、前記操作がアングル映像の選択操作であるときは、選択されたアングル映像の総数により定まる分割数に基づいて最適な分割タイプを求め、前記表示制御データを出力する。
【００２６】
このように、本発明に係る映像再生装置によれば、複数のアングル映像を記録した再生用情報蓄積手段から、任意のアングル映像を取得して表示することができるマルチアングル機能が作動するマルチアングル期間においては、表示態様制御手段により、再生用情報蓄積手段から取得された編集者の意図が反映された表示定義データが表示制御データとして出力される。そして、映像合成手段により、その表示制御データに基づいて再生用情報蓄積手段から取得されたアングル映像を合成することができる。
【００２７】
（Ｃ）上記課題を解決するために本発明に係るアングル映像表示用データは、複数のアングル映像を記録した情報蓄積手段から、任意のアングル映像を取得して切替表示することができるマルチアングル機能が作動するマルチアングル期間に用いられるアングル映像の表示態様を定義する編集者の意図が反映された表示定義データが、ＤＶＤ規格にあるナビゲーションパックのＤＳＩパケットのＤＳＩデータ部のうち未使用領域に記録されたことを特徴とする。
【００２８】
また、上記課題を解決するために、本発明に係るアングル映像表示用データは、複数のアングル映像を記録した情報蓄積手段から、任意のアングル映像を取得して切替表示することができるマルチアングル機能が作動するマルチアングル期間に用いられるアングル映像の表示態様を定義する編集者の意図が反映された表示定義データが、ＭＰＥＧ２ビデオストリームにおけるピクチャ層のユーザデータ領域に記録されたことを特徴とする。
【００２９】
（Ｄ）上記課題を解決するために本発明に係るアングル映像表示用データを記録した記録媒体は、本発明に係るアングル映像表示用データを記録したことを特徴とする。
【発明の効果】
【００３０】
本発明に係る映像編集装置は、表示態様設定手段によりマルチアングル期間におけるアングル映像の表示態様が設定され、多重化手段によりその表示態様を定義する表示定義データが所定領域に配置されるので、アングル映像の表示態様に関して編集者の意図を反映することができるという効果がある。
【００３１】
本発明に係る映像再生装置は、表示態様制御手段により取得された、アングル映像の表示態様を定義する編集者の意図が反映された表示定義データに基づいて映像合成手段により映像が合成されるので、アングル映像の表示態様に関し編集者の意図を反映することができるという効果がある。
【００３２】
本発明に係るアングル映像表示用データ及びそのアングル映像表示用データを記録した記録媒体は、映像再生におけるアングル映像の表示態様に関し編集者の意図を反映させることができるという効果がある。
【発明を実施するための最良の形態】
【００３３】
以下本発明の実施の形態について図面を参照して説明する。
【００３４】
１．映像編集装置
図１に示した映像編集装置１００は、映像符号化部１２０と、表示態様設定部１４０と、多重化部１６０とから構成される。映像符号化部１２０は、マルチアングル期間におけるアングル映像１〜ｎ（ｎは１〜９までの自然数、以下同じ。）に係るソースデータ１〜ｎをＭＰＥＧ２方式で符号化し、それぞれ、符号化映像データ１〜ｎとして多重化部１６０に出力する。ここではｎを「１」〜「９」までとしているが多重化されるアングル映像の数が９までであることに基づいている。従って、「ｎ」の値は、アングル映像の数が増えればそれに伴い増やすことができる。
【００３５】
表示態様設定部１４０は、図２に示したように、制御部１４２と、ディスプレイ部１４４と、入力操作部１４６とから構成されている。表示態様設定部１４０は、編集者がディスプレイ部１４４を見ながらマルチアングル期間におけるアングル映像１〜ｎに係る表示定義データ１〜ｎを入力操作部１４６を操作することにより入力し、設定できるように構成されている。制御部１４２は、編集者に表示定義データ１〜ｎの入力を促す対話画面を編集用映像合成部１４２ａを介してディスプレイ部１４４に表示させるとともに、ソースデータ１〜ｎを編集用映像合成部１４２ａを介してディスプレイ部１４４に表示させる制御を行う。
【００３６】
すなわち、制御部１４２は、ＤＶＤ規格でいう、図３（ａ）に示した１ビデオオブジェクトユニットＶＯＢＵ単位でソースデータ１〜ｎの供給を受けてディスプレイ部１４４へ送出し、その単位で編集者が表示定義データ１〜ｎを入力し設定できるように対話画面をディスプレイ部１４４へ表示させる。同図に示したように、１ビデオオブジェクトユニットＶＯＢＵは、ナビゲーションパックＮＶとアングル映像ＡＧＬ＿ＮＯの画像データとから構成される。アングル映像ＡＧＬ＿ＮＯの画像データは、再生時間にして０．４〜１．２秒に相当する１２〜３６枚程度の映像データであり（ＮＴＳＣ方式の場合）、いわゆる１グループオブピクチャＧＯＰのことである。また、ナビゲーションパックＮＶは、グループオブピクチャＧＯＰの管理用のデータであり、その先頭に配置される。
【００３７】
また、制御部１４２は、入力操作部１４６に設けられたキーボードやマウスを用いて入力される表示定義データであって、編集者の意図を反映したマルチアングル期間におけるアングル映像の表示態様を定義する表示定義データに基づいて、ディスプレイ部１４４にその表示態様を反映させる制御を行う。また、制御部１４２は、設定情報生成部１４２ｂで表示定義データ１〜ｎを生成して、多重化部１６０へ出力する。
【００３８】
図１に戻ると、多重化部１６０は、アングル映像１〜ｎに係る符号化映像データ１〜ｎと表示定義データ１〜ｎとを多重化することにより、図３（ａ）に示したビデオオブジェクトユニットＶＯＢＵを構成するようにこれらのデータを配置し、ＤＶＤ規格の多重化映像データを作成する。多重化映像データは、記録媒体Ｍに図示しない書込処理部により書き込まれる。これにより、例えば、ＤＶＤが得られる。
【００３９】
ここで、多重化処理について詳細に説明する。多重化部１６０は、編集者の意図が反映されたマルチアングル期間におけるアングル映像の表示態様を定義する表示定義データ１〜ｎを、図３（ｂ）に示したナビゲーションパックＮＶのＤＳＩパケットのＤＳＩデータ部の未使用領域Ｕｎ＿ＵＳＥに配置する。そのためアングル映像の表示態様に関し、編集者の意図が反映された多重化映像データが得られることとなる。ここで、「未使用領域Ｕｎ＿ＵＳＥ」とは、「ＤＶＤ規格における未使用領域」をいう。
【００４０】
２．映像再生装置
図４に示した映像再生装置２００は、少なくとも、逆多重化部２１０と、映像復号部２２０と、映像バッファ２３１〜２３ｎ（ｎは上述した通りである。）と、表示態様制御部２４０と、映像合成部２５０とから構成される。映像表示部２６０は、映像再生装置２００の中に備えてもよいし、外付けとして構成してもどちらでもよい。逆多重化部２１０は、多重化映像データを逆多重化して、マルチアングル期間におけるアングル映像１〜ｎに係る符号化映像データ１〜ｎを映像復号部２２０に出力するとともに、アングル映像１〜ｎに係る符号化映像データ１〜ｎの表示態様を定義する表示定義データ１〜ｎを、１ビデオオブジェクトユニットＶＯＢＵ毎にナビゲーションパックＮＶのＤＳＩパケットのＤＳＩデータ部の未使用領域Ｕｎ＿ＵＳＥから取得して、表示制御データ１〜ｎとして表示態様制御部２４０へ出力する。
【００４１】
映像復号部２２０は、ＭＰＥＧ２方式で符号化された符号化映像データ１〜ｎを復号化して、それぞれ、アングル映像１〜ｎとして映像バッファ２３１〜２３ｎへ出力する。映像バッファ２３１〜２３ｎは、各々、アングル映像１〜ｎを一時的に保持するものであり、所定のタイミングでそのアングル映像１〜ｎが映像合成部２５０により読み出される。
【００４２】
表示態様制御部２４０は、逆多重化部２１０から表示定義データ１〜ｎを取得して、（１）視聴者による操作がなければ、その表示定義データ１〜ｎを表示制御データ１〜ｎとして映像合成部２５０へ出力し、（２）視聴者による操作があればその操作に基づく表示入力データ１〜ｎ（図５参照）を表示定義データ１〜ｎに反映させた表示制御データ１〜ｎを映像合成部２５０へ出力する。
【００４３】
映像合成部２５０は、マルチアングル期間においては表示態様制御部２４０から出力される表示制御データ１〜ｎに基づいて、アングル映像１〜ｎを合成して、映像合成データとして映像表示部２６０へ出力する。映像表示部２６０は、映像合成データを表示する。これにより、視聴者はＤＶＤ再生映像や音声を楽しむことができる。
【００４４】
次に、表示態様制御部２４０の構成について図５を参照して詳細に説明する。表示態様制御部２４０は、設定情報取得部２４２１と、制御情報抽出部２４２２と、制御情報出力部２４２３と、入力情報取得部２４２４と、入力操作部２４４とから構成される。設定情報取得部２４２１には表示定義データ１〜ｎを格納する設定情報格納部２４２１ａが設けられ、制御情報出力部２４２３には表示制御データ１〜ｎを格納する制御情報格納部２４２３ａが設けられ、入力情報取得部２４２４には表示入力データ１〜ｎを格納する入力情報格納部２４２４ａが設けられている。
【００４５】
設定情報取得部２４２１は、表示定義データ１〜ｎを取得して、設定情報格納部２４２１ａに格納し、所定のタイミングでこれを制御情報抽出部２４２２へ出力する。入力情報取得部２４２４は、視聴者により入力操作部２４４の操作があったときに、その操作に係る表示入力データ１〜ｎを取得して、入力情報格納部２４２４ａに格納し、所定のタイミングでこれを制御情報抽出部２４２２へ出力する。
【００４６】
制御情報抽出部２４２２は、視聴者による操作がなければ設定情報取得部２４２１から編集者の操作に基づいて設定された表示定義データ１〜ｎを抽出し、表示制御データ１〜ｎとしてそのまま制御情報出力部２４２３に出力する。
【００４７】
制御情報抽出部２４２２は、視聴者による操作があったとき、すなわち、視聴者により映像合成部２６０に表示されたアングル映像の表示態様に関して何らかの操作がなされ、表示入力データ１〜ｎが入力されると、入力情報取得部２４２４からその表示入力データ１〜ｎを抽出するとともに、設定情報取得部２４２１から表示定義データ１〜ｎをも抽出する。そして、制御情報抽出部２４２２は、表示定義データ１〜ｎに表示入力データ１〜ｎを反映させたデータを表示制御データ１〜ｎとして制御情報出力部２４２３に出力する。制御情報出力部２４２３は、その表示制御データ１〜ｎを制御情報格納部２４２３ａに格納した後、所定のタイミングでこれを映像合成部２５０に出力する。
【００４８】
３．映像編集処理の手順
図６を参照して、本発明の一実施の形態に係るマルチアングル期間におけるアングル映像の編集処理手順について説明する。ステップＳ８０１においては、映像編集装置１００は、図示は省略するが、アングル映像１〜ｎをディスプレイ部１４４のフレーム配置位置１〜ｎに９分割の画面で表示する。
【００４９】
ステップＳ８０２においては、映像編集装置１００は、マルチアングル期間におけるアングル映像の表示態様の設定を開始する。映像編集装置１００は、視聴者による操作に基づいて、アングル映像１〜ｎでいうところの「１」、「２」、…「ｎ」という番号（後述するアングル映像ＡＧＬ＿ＮＯ）、映像表示部２６０の分割数を定義する分割数（後述する分割数ＤＩＶ＿ＣＮＴ）、映像表示部２６０への表示方法を定義する分割タイプ（後述する分割タイプＤＩＶ＿ＴＰ）を設定する。
【００５０】
Ｓ８０３においては、編集者により編集対象とされるアングル映像１〜ｎのいずれかが１ビデオオブジェクトユニット単位で指定され、映像編集装置１００は、装置各部を指定された１ビデオオブジェクトユニットについての編集操作ができる状態にする。
【００５１】
Ｓ８０４においては、映像編集装置１００は、編集者による操作に基づいて、Ｓ８０３で指定されたアングル映像１〜ｎのフレームの表示位置（フレーム配置位置）やフレームの大きさを定義する縮小率を設定する。
【００５２】
Ｓ８０５においては、映像編集装置１００は、編集者による操作に基づいて、その他の設定、例えば、グループ番号等の設定を行う。Ｓ８０６においては、映像編集装置１００は、次の編集に進むか否かを編集者による操作に基づいて判断する。映像編集装置１００は、編集者によりアングル映像の編集操作の終了が指定されたと判断するまでＳ８０３〜Ｓ８０６の処理を繰り返し行う。
【００５３】
図７（ａ）（ｂ）を参照して編集処理手順を具体的に説明する。Ｓ８０１〜Ｓ８０６における処理において、Ｓ８０２において分割数が「３」、分割タイプが「１」と設定され、Ｓ８０３とＳ８０４においてアングル映像１〜３のフレーム配置位置がそれぞれ「１」、「２」、「３」と設定されると、ディスプレイ部１４４には図７（ａ）のように表示される。編集者により暫くはこの設定でよいと判断されたときには、Ｓ８０３〜Ｓ８０６の処理をそのまま素通りするとともに、該当するビデオオブジェクトユニットの未使用領域Ｕｎ＿ＵＳＥにその表示定義データ１〜ｎを書き込む。
【００５４】
その間、図７（ａ）のアングル映像２の男性とアングル映像３の女性の位置がダンス途中で入れ替わったとする。その場合には、その表示定義データ１〜ｎの設定をそのままにしておくと、アングル映像１では男女の位置が入れ替わっても、アングル映像２、３の表示位置はその設定のままだと実際の位置関係とは逆の位置関係で表示される。
【００５５】
そこで、Ｓ８０４において編集者によりアングル映像２とアングル映像３の表示位置を入れ替えるために、例えば、アングル映像２のフレーム配置位置が「２」→「３」に変更され、アングル映像３のフレーム配置位置が「３」→「２」に変更される。Ｓ８０５、Ｓ８０６が終了すると、図７（ｂ）に示した態様でディスプレイ部１４４に表示される。
【００５６】
そして、編集者によるマルチアングル期間の終了の選択を検出すると、Ｓ８０７に進み多重化部１６０において多重化が行われる。これにより、編集者の意図を反映したアングル映像２、３の表示位置（フレーム配置位置）が書き込まれた表示定義データ１〜ｎが未使用領域Ｕｎ＿ＵＳＥに配置される。なお、Ｓ８０７による多重化処理は、一連の編集処理が終了したときに処理するよう説明したが、編集処理の途中で適当な処理単位で実行しても構わない。
【００５７】
そして、Ｓ８０８においては編集者がマルチアングル期間を解除すると、Ｓ８０１へ戻る。
【００５８】
４．表示定義データの構造
図３（ｂ）に示した未使用領域Ｕｎ＿ＵＳＥに配置される表示定義データ１〜ｎについて説明する。この表示定義データ１〜ｎは、同図に示したように、例えば、アングル映像ＡＧＬ＿ＮＯ、分割数ＤＩＶ＿ＣＮＴ、分割タイプＤＩＶ＿ＴＰ、表示方法選択フラグＤ＿ｆｌｇ、フレーム配置位置Ｌ＿ＰＳＮ、座標配置位置Ｐ＿ＰＳＮ、縮小率ＲＳＺ＿ＲＴ、グループ番号ＧＲＰ＿ＮＯ等から構成される。
【００５９】
アングル映像ＡＧＬ＿ＮＯとは、多重化された各映像をいうが、表示定義データ１〜ｎとしてのアングル映像１〜ｎは、ソースデータに対応したアングル映像を識別する番号で表され、各アングル映像は、アングル映像１、アングル映像２、…、アングル映像ｎと表される。従って、アングル映像ＡＧＬ＿ＮＯは、映像表示部に表示される画像データを特定するために用いられる。例えば、物理的に外部端子番号に対応して決まるアングル映像の番号で表され、アングル映像１が外部端子１から供給されるソースデータ１に対応する基本アングル映像を意味し、アングル映像２が外部端子２から供給されるソースデータ２に対応するアングル映像を意味する。
【００６０】
次に、図８を参照して分割数ＤＩＶ＿ＣＮＴ及び分割タイプＤＩＶ＿ＴＰについて説明する。分割数ＤＩＶ＿ＣＮＴは、一画面に表示するアングル映像の数を定義する。分割数ＤＩＶ＿ＣＮＴは、「１」〜「９」までの数値によって定義されるが、分割数１とは、一つのアングル映像が映像表示部全体に表示される表示態様を定義する。
【００６１】
分割タイプＤＩＶ＿ＴＰは、各アングル映像の配置方法を定義するパラメータである。分割タイプＤＩＶ＿ＴＰによれば、分割数ＤＩＶ＿ＣＮＴによっては種々の表示態様（すなわち、フレーム配置態様）で表示ができるのでどのタイプの表示態様で表示するのかを「１」〜「ｍ」（ｍは自然数）の数値で定義することができる。また、値を「０」とすることで、分割タイプＤＩＶ＿ＴＰに従わないで表示させることを定義することもできる。例えば、分割タイプＤＩＶ＿ＴＰを「０」としたときには、映像再生装置によりフレームの配置を自動的に行わせることができる。
【００６２】
図８に示したように分割タイプＤＩＶ＿ＴＰは、分割数１のときは「１」と定義でき、分割数２のときは「１」〜「４」と定義することができる。分割数３のときは、分割タイプＤＩＶ＿ＴＰとして「１」〜「６」を定義することができる。
【００６３】
表示方法選択フラグＤ＿ｆｌｇは、アングル映像ＡＧＬ＿ＮＯで示されるアングル映像を、フレーム配置位置Ｌ＿ＰＳＮに基づいて表示するのか、座標配置位置Ｐ＿ＰＳＮに基づいて表示するのかを定義する。例えば、フレーム配置位置Ｌ＿ＰＳＮに基づくときは値を「０」と、座標配置位置Ｐ＿ＰＳＮに基づくときは値を「１」と定義することができる。
【００６４】
フレーム配置位置Ｌ＿ＰＳＮは、アングル映像ＡＧＬ＿ＮＯで示されるアングル映像を表示させるフレーム番号を定義するものであり、フレーム毎に割り当てられる数値で定義することができる。例えば、図８に示した各フレーム内に書かれている番号がフレーム毎に割り当てられる数値である。
【００６５】
座標配置位置Ｐ＿ＰＳＮは、アングル映像ＡＧＬ＿ＮＯで示されるアングル映像を、どの座標に表示するのかを座標値で定義するものであり、例えば、ＮＴＳＣ方式の場合には、（０，０）〜（６３９，４７９）までの座標値で定義することができる。図９（ａ）（ｂ）はその一例を示したものである。
【００６６】
縮小率ＲＳＺ＿ＲＴは、アングル映像ＡＧＬ＿ＮＯで示されるアングル映像のサイズを定義するものであり、どれだけ縮小して表示させるかを「０」〜「１」の数値で定義することができる。すなわち、縮小率ＲＳＺ＿ＲＴは、映像表示部２６０の全体に表示するサイズを縮小率「１」としたときの相対的なサイズである。図９（ａ）（ｂ）はその一例を示したものである。例えば、４つのアングル映像を隙間無く表示する際のサイズは縮小率０．５となる。本実施の形態では、縦横の比率は一定であるが、縦横の比率を定義してもよい。
【００６７】
グループＧＲＰ＿ＮＯは、編集者によって、編集時に複数のアングル映像からいくつかのアングル映像を選択してグループ分け（以下単に「グループ化」ともいう。）がなされたか否か及び、グループ化されたときのそのグループ番号を定義する。
【００６８】
例えば、編集者が、１塁側からの複数のアングル映像を集めてグループ化したものを表示させることを意図したときにはグループ番号として「１」が設定される。同様に、３塁側からの複数のアングル映像はグループ番号「２」に、バックネット裏からのアングル映像はグループ番号「３」に設定される。再生時には、視聴者の操作によって、グループ番号を指定したり、又は、各グループに含まれるアングル映像が指定されたときには、グループが共通するアングル映像に切り替えて表示させたりすることができる。なお、編集者がグループ化なしで表示させる場合はグループ番号として「０」が設定される。
【００６９】
なお、表示制御データ１〜ｎは、表示定義データ１〜ｎと同じデータ構造を有するため、その説明を省略する。
【００７０】
５．表示入力データの構造
表示入力データ１〜ｎは、表示定義データ１〜ｎに、更に、選択番号ＳＥＬ＿ＮＯと入力情報参照フラグＩ＿ｆｌｇというパラメータを加えたデータ構造を有する。表示定義データ１〜ｎと同じパラメータについてはその説明を省略する。
【００７１】
選択番号ＳＥＬ＿ＮＯは、例えば、視聴者によってそのアングル映像ＡＧＬ＿ＮＯで示されるアングル映像が何番目に選択されたかが格納され、入力情報参照フラグＩ＿ｆｌｇには、視聴者によって表示入力データ１〜ｎの入力があったか否かが格納される。
【００７２】
選択番号ＳＥＬ＿ＮＯで順序を設定するのは、例えば、分割数９であるときに、視聴者がそのうち３つのアングル映像を選択したときには、その３つのアングル映像を表示することになるが、視聴者が選択した順番に、「１」、「２」、「３」と設定しておけば、最後に選択されたアングル映像に係る選択番号ＳＥＬ＿ＮＯから、次は分割数ＤＩＶ＿ＣＮＴに「３」を設定する制御ができるからである。
【００７３】
すなわち、選択番号ＳＥＬ＿ＮＯには、視聴者によって選択される度に１づつインクリメントした値が格納されるように構成される。映像表示部２６０に表示されているアングル映像が選択対象となるので、表示中の分割数ＤＩＶ＿ＣＮＴよりも大きな数のアングル映像が選択されることはない。選択番号ＳＥＬ＿ＮＯは、表示中のアングル映像の総数と同じ数値かそれ以下の数値が設定される。
【００７４】
なお、選択番号をこのように制御するのではなく、視聴者により選択されているか否かだけをフラグとして管理することも可能である。この際は、分割数を別にカウントすることになる。
【００７５】
入力情報参照フラグＩ＿ｆｌｇは、「０」が設定されているときは、視聴者の操作がなかったことを意味し、「１」が設定されているときは、視聴者の操作があったことを意味する設定とすることができる。そうすれば、表示態様制御部２４０は、このフラグを見て表示入力データ１〜ｎを参照するか否かを決定することができる。
【００７６】
６．記録媒体としてのＤＶＤの構成
ＤＶＤは、ファイルデータ領域にマルチメディアビットストリームが記録される。つまり、ナビゲーションパックＮＶのＤＳＩパケットのＤＳＩデータ部の未使用領域Ｕｎ＿ＵＳＥに表示定義データ１〜ｎを配置したビデオオブジェクトユニットＶＯＢＵ等から構成されるマルチメディアビットストリームが、ＤＶＤのファイルデータ領域に記録される。これにより、本発明の実施の形態に係る記録媒体を構成する。
【００７７】
７．映像再生処理の手順
図１０を参照して、本発明の一実施の形態に係るマルチアングル期間におけるアングル映像の映像再生装置２００における再生処理手順について説明する。
【００７８】
（１）通常期間のとき
Ｓ１００１においては、逆多重化部２１０は、マルチアングル期間か否かを判断する。マルチアングル期間ではないと判断したときは（Ｓ１００１：ＮＯ）、Ｓ１００５に進む。映像合成部２５０は、逆多重化処理と映像復号処理を経た映像の合成を行い、その映像合成データを映像表示部２６０に出力する。映像表示部２６０は、映像合成データの表示を行う。マルチアングル期間に入るまでは、Ｓ１００１→Ｓ１００５の処理を繰り返し行う。
【００７９】
（２）マルチアングル期間のとき（視聴者による操作がないとき）
Ｓ１００１において、逆多重化部２１０がマルチアングル期間であると判断したときは（Ｓ１００１：ＹＥＳ）、Ｓ１００２に進む。Ｓ１００２においては、表示態様制御部２４０は、視聴者によるマルチアングル映像の操作があったか否かを判断する。そして、視聴者による操作がないと判断したときは（Ｓ１００２：ＮＯ）、Ｓ１００４へ進む。
【００８０】
Ｓ１００４においては、表示態様制御部２４０は、逆多重化部２１０から編集者の意図が反映された表示定義データ１〜ｎとして、ＤＶＤ規格にあるナビゲーションパックのＤＳＩパケットのＤＳＩデータ部のうち未使用領域Ｕｎ＿ＵＳＥに記録されたデータを取得して、これをそのまま表示制御データ１〜ｎとして映像合成部２５０に出力する制御を行う。表示態様制御部２４０の動作をより詳細に説明すると、次のようになる。まず、設定情報取得部２４２１が表示定義データ１〜ｎを取得し、その表示定義データ１〜ｎを設定情報格納部２４２１ａに格納する。次いで、制御情報抽出部２４２２は、その表示定義データ１〜ｎを設定情報取得部２４２１から抽出し、そのまま表示制御データ１〜ｎとして制御情報出力部２４２３に出力する。制御情報出力部２４２３は、その表示制御データ１〜ｎを制御情報格納部２４２３ａに格納し、所定のタイミングでその表示制御データ１〜ｎを映像合成部２５０に出力する。
【００８１】
そして、Ｓ１００５に進むと、映像合成部２５０は、逆多重化処理と映像復号処理を経た映像の合成をその表示制御データ１〜ｎに基づいて行う。映像表示部２６０は、その映像合成データの表示を行う。
【００８２】
例えば、アングル映像１の表示定義データが、アングル映像ＡＧＬ＿ＮＯが「１」、分割数ＤＩＶ＿ＣＮＴが「３」、分割タイプＤＩＶ＿ＴＰが「１」、表示方法選択フラグＤ＿ｆｌｇが「０」、フレーム配置位置Ｌ＿ＰＳＮが「１」、縮小率ＲＳＺ＿ＲＴが「０．５」、グループ番号ＧＲＰ＿ＮＯが「０」と設定され、アングル映像２、３の表示制御データがそれぞれ、アングル映像ＡＧＬ＿ＮＯが「２」、「３」、フレーム配置位置Ｌ＿ＰＳＮが「２」、「３」と設定された以外はアングル映像１と同じ値に設定されているときには、例えば、図７（ａ）のように合成され表示される。また、アングル映像２、３で映っている人物の位置がダンスで入れ替わったときに、位置関係が入れ替わったタイミング以降のアングル映像２、３の表示制御データのフレーム配置位置Ｌ＿ＰＳＮがそれぞれ「３」、「２」に編集されていると、図７（ｂ）のように合成され表示される。
【００８３】
指定された分割タイプＤＩＶ＿ＴＰについて、各アングル映像の表示位置や、表示サイズ（縮小率）が、編集者の意図どおりに映像再生装置で再生できるようにするためには、その情報を映像編集装置と映像再生装置で共有する必要がある。これは、双方の装置内に予めその情報を持つようにすることで実現する。具体的には、分割数と分割タイプ毎に、各アングル映像の表示位置を座標で、サイズを縮小率で定義する。
【００８４】
（３）マルチアングル期間のとき（視聴者による操作があったとき）
Ｓ１００１において、逆多重化部２１０がマルチアングル期間であると判断したときは（Ｓ１００１：ＹＥＳ）、Ｓ１００２に進む。Ｓ１００２においては、表示態様制御部２４０は、視聴者によるマルチアングル映像の操作があったか否かを判断する。そして、視聴者による操作があったと判断したときは（Ｓ１００２：ＹＥＳ）、Ｓ１００３へ進む。
【００８５】
Ｓ１００３においては、入力情報取得部２４２４は、視聴者による操作に基づいて入力操作部２４４から出力される表示入力データ１〜ｎを取得し、入力情報格納部２４２４ａに格納する。
【００８６】
Ｓ１００４においては、表示態様制御部２４０は、逆多重化部２１０から編集者の意図が反映された表示定義データ１〜ｎとして、ＤＶＤ規格にあるナビゲーションパックのＤＳＩパケットのＤＳＩデータ部のうち未使用領域Ｕｎ＿ＵＳＥに記録されたデータを取得して、これを表示入力データ１〜ｎに基づいて更新し、表示制御データ１〜ｎとして映像合成部２５０に出力する制御を行う。表示態様制御部２４０の動作をより詳細に説明すると、次のようになる。まず、設定情報取得部２４２１が表示定義データ１〜ｎを取得し、その表示定義データ１〜ｎを設定情報格納部２４２１ａに格納する。次いで、制御情報抽出部２４２２は、その表示定義データ１〜ｎを設定情報取得部２４２１から抽出する。そして、制御情報抽出部２４２２は、設定情報格納部２４２１ａから抽出した表示定義データ１〜ｎを、入力情報取得部２４２４から抽出した表示入力データ１〜ｎに基づいて更新し、表示制御データ１〜ｎとして制御情報出力部２４２３へ出力する。制御情報出力部２４２３は、表示制御データ１〜ｎを制御情報格納部２４２３ａに格納し、所定のタイミングでその表示制御データ１〜ｎを映像合成部２５０に出力する。
【００８７】
そして、Ｓ１００５に進むと、映像合成部２５０は、逆多重化処理と映像復号処理を経た映像の合成をその表示制御データ１〜ｎに基づいて行う。映像表示部２６０は、その映像合成データの表示を行う。
【００８８】
以下にＳ１００３における処理を種々の場合について説明する。
【００８９】
（３−１）視聴者によるアングル映像の切り替え
例えば、図１１（ａ）のように、アングル映像１、３、４、６、８が、フレーム配置位置１〜５に表示されているとする。Ｓ１００３において、視聴者により切替対象としてフレーム配置位置１に表示されているアングル映像１が選択ボタン（図示省略）により選択され、フレーム配置位置１に表示させるアングル映像として、アングル映像２へ切り替える切替ボタン（図示省略）が押されるとする。
【００９０】
すると、Ｓ１００３において、入力情報取得部２４２４は、表示入力データ１に係るアングル映像１のフレーム配置位置Ｌ＿ＰＳＮには「２」を書き込み、表示入力データ２に係るアングル映像２のフレーム配置位置Ｌ＿ＰＳＮには「１」を書き込む。また、各表示入力データ１、２に係るアングル映像１、２のフレーム配置位置Ｌ＿ＰＳＮに「１」を書き込む。また、フレーム配置位置１を強調表示させる（強調表示はしなくても構わない。以下同様。）。
【００９１】
そして、Ｓ１００４に進み、表示態様制御部２４０は入力情報参照フラグＩ＿ｆｌｇが「１」だと、設定情報取得部２４２１の設定情報格納部から抽出した表示定義データを、入力情報取得部２４２４の入力情報格納部２４２４ａから抽出した表示入力データに基づいて更新し、表示制御データを出力する。制御情報出力部２４２３は、表示制御データを格納した後、映像合成部２５０へ出力する。そして、Ｓ１００５に進むと、映像表示部２６０により、図１１（ｂ）のようにアングル映像１とアングル映像２が切り替えられる。
【００９２】
（３−２）フレーム配置位置Ｌ＿ＰＳＮと縮小率ＲＳＺ＿ＲＴの変更
例えば、図１２（ａ）のように、アングル映像１〜３が、フレーム配置位置１〜３に表示されているとする。Ｓ１００３において、視聴者によりアングル映像１が選択対象として選択ボタン（図示省略）により選択されると、表示態様制御部２４０は同図に示したようにフレーム配置位置１を強調表示させる。そして、視聴者によりマウス等を用いてそのフレームがドラッグされると、表示態様制御部２４０は、入力情報取得部２４２４の入力情報格納部２４２４ａの入力情報参照フラグＩ＿ｆｌｇの値を「１」に設定するとともに、その表示方法選択フラグＤ＿ｆｌｇの値を「１」とし、座標配置位置Ｐ＿ＰＳＮの値として図１２（ｂ）に示したドラッグされた位置を示す座標（Ｘ，Ｙ）を書き込む。
【００９３】
Ｓ１００４に進むと、制御情報抽出部２４２２は、設定情報取得部２４２１から表示定義データ１〜ｎを抽出するとともに、入力情報取得部２４２４から表示入力データ１〜ｎを抽出して、これらのデータに基づいて表示制御データ１〜ｎを出力する。制御情報出力部２４２３は、その表示制御データ１〜ｎを制御情報格納部２４２３ａに格納して、これを所定のタイミングで映像合成部２５０へ出力する。そして、Ｓ１００５に進むと、映像表示部２６０により、図１２（ｂ）のようにアングル映像１が座標配置位置（Ｘ，Ｙ）に表示される。そして、Ｓ１００１に戻り、Ｓ１００２を経てＳ１００３へ進む。
【００９４】
Ｓ１００３において、視聴者により、アングル映像１が選択され、サイズ入力ボタン（図示省略）を用いて縮小率ＲＳＺ＿ＲＴの値として「０．７５」という数値が入力された後、実行ボタンが押される。そうすると、入力情報取得部２４２４は、縮小率ＲＳＺ＿ＲＴの値として図１２（ｃ）に示したサイズに相当する「０．７５」を書き込み、入力情報参照フラグＩ＿ｆｌｇの値を「１」とする。
【００９５】
なお、視聴者が縮小率の値を直接入力するのではなく、マウス等によりアングル映像のコーナーを操作して縮小率を変更し、入力情報取得部２４２４により縮小率の値を求めて処理するようにしてもよい。
【００９６】
Ｓ１００４に進むと、制御情報抽出部２４２２は、設定情報取得部２４２１から表示定義データ１〜ｎを抽出するとともに、入力情報取得部２４２４から表示入力データ１〜ｎを抽出して、これらに基づいて表示制御データ１〜ｎを出力する。制御情報出力部２４２３は、表示制御データ１〜ｎを制御情報格納部２４２３ａへ格納し、これを所定のタイミングで映像合成部２５０へ出力する。そして、Ｓ１００５に進むと、図１２（ｃ）のようにアングル映像１は、そのサイズが変更される。
【００９７】
（３−３）アングル映像の自動サイズ変更
また、表示態様制御部２４０は、視聴者によりアングル映像の選択操作がなされたときには、選択されたアングル映像の総数により定まる分割数に基づいて最適な分割タイプを求め、表示制御データ１〜ｎを出力することができる。すなわち、選択されたアングル映像をそのまま表示させると映像表示部２６０に空き領域ができるときには、最適な配置方法を自動的に求める制御を行うことができる。
【００９８】
例えば、分割数９のときに、視聴者により１つのアングル映像しか選択されなかったときには、映像表示部２６０にそのアングル映像を表示させる。また、分割数９のときに、視聴者により上下又は左右の位置関係にある２つのアングル映像が選択されたときは、その位置関係を保ったまま映像表示部２６０に収まる最大のサイズで映像表示部２６０の中央に表示させる。また、分割数９のときに、視聴者により斜めの位置関係にある２つのアングル映像が選択されたときは、４分割サイズの左上と右下（左下又は右上）の位置にアングル映像を表示させる。
【００９９】
例えば、図１３（ａ）（１）のように、アングル映像１〜３が、フレーム配置位置２、７、９（図８の分割数９、分割タイプ１を参照）に表示されているとする。Ｓ１００３において、視聴者によりアングル映像２、３が選択対象として、その順番に選択ボタン（図示省略）により選択されるとする。表示態様制御部２４０は、同図に示したようにフレームを強調表示させるとともに、入力情報取得部２４２４のアングル映像２、３の選択番号ＳＥＬ＿ＮＯにそれぞれ「１」、「２」を設定し（通常は「０」が設定されている。）、分割数ＤＩＶ＿ＣＮＴには選択されたアングル映像の総数である「２」を最後に選択されたアングル映像の選択番号ＳＥＬ＿ＮＯに基づいて設定する。そして、表示ボタン（図示省略）が押されると、入力情報参照フラグＩ＿ｆｌｇに「１」を設定する。
【０１００】
Ｓ１００４に進むと、表示態様制御部２４０は、アングル映像２、３のフレーム配置位置７、９に基づいて、選択されたアングル映像２と３の位置関係を認識し、分割数２に対応する分割タイプＤＩＶ＿ＴＰとして「１」を設定するとともに、アングル映像２のフレーム配置位置Ｌ＿ＰＳＮとして「１」を、アングル映像３のフレーム配置位置Ｌ＿ＰＳＮとして「２」を設定した表示制御データ１〜ｎを映像合成部２５０へ出力する。そして、Ｓ１００５に進むと、アングル映像２、３は、図１３（ａ）（２）のように表示される。尚、図１３（ｂ）（１）のように、アングル映像１、３が選択されたときは、その位置関係に基づいて同図（ｂ）（２）のように表示される。尚、フレーム配置位置Ｌ＿ＰＳＮは、選択番号ＳＥＬ＿ＮＯに合わせて設定することもできる。
【０１０１】
なお、分割タイプを利用せず、選択番号ＳＥＬ＿ＮＯ「１」のアングル映像だけを無駄な空領域がなくなるまで拡大するといった制御も可能である。つまり、選択番号ＳＥＬ＿ＮＯをアングル映像の優先度と扱う一例である。
【０１０２】
このように、視聴者により選択されたアングル映像をそのまま表示させると映像表示部２６０に空き領域ができるときには、その位置関係を反映しつつ最適な画面配置が自動的に行われる。
【０１０３】
（３−４）分割数ＤＩＶ＿ＣＮＴと分割タイプＤＩＶ＿ＴＰの設定
Ｓ１００３において、視聴者により分割数ＤＩＶ＿ＣＮＴと分割タイプＤＩＶ＿ＴＰが入力されたとする。入力情報取得部２４２４は、入力情報格納部２４２４ａの分割数ＤＩＶ＿ＣＮＴと分割タイプＤＩＶ＿ＴＰにその値を書き込む。
【０１０４】
視聴者により実行ボタンが押されると、入力情報取得部２４２４は、入力情報格納部２４２４ａの入力情報参照フラグＩ＿ｆｌｇに「１」を書き込む。制御情報抽出部２４２２は、表示設定データ１〜ｎと表示入力データ１〜ｎに基づいて表示制御データ１〜ｎを出力する。制御情報出力部２４２３は、これを制御情報格納部２４２３ａへ格納した後、所定のタイミングで映像合成部２５０へ出力する。
【０１０５】
Ｓ１００５に進むと、映像表示部２６０によりアングル映像が表示される。尚、視聴者により分割数ＤＩＶ＿ＣＮＴのみが設定されて実行ボタンが押されたときは、分割タイプＤＩＶ＿ＴＰとして「１」を自動的に設定し、その時点での表示定義データ１〜ｎに基づいてフレーム配置位置Ｌ＿ＰＳＮと、アングル映像ＡＧＬ＿ＮＯを設定するように構成される。
【０１０６】
（３−５）字幕の選択
例えば、図１４（ａ）のように、アングル映像１、２が、フレーム配置位置１、２にそれぞれ表示されているとする（図８の分割数２、分割タイプ１を参照）。Ｓ１００３において、視聴者により字幕表示が選択されて、Ｓ１００４に進むと、表示態様制御部２４０は、字幕映像を有効にし、分割数ＤＩＶ＿ＣＮＴを増やす。Ｓ１００５に進むと、字幕に相当するアングル映像が図１４（ｂ）のように表示される。字幕映像は、分割タイプＤＩＶ＿ＴＰに限らず編集者の意図に応じた任意の表示位置に配置させるように構成することができる。例えば、アングル映像１とアングル映像２のすぐ下に、それぞれ字幕映像１、２を配置し、アングル映像１の人物が話した言葉は、字幕映像１に、アングル映像２は字幕映像２に表示することもできる。
【０１０７】
一方で、字幕映像は、分割タイプＤＩＶ＿ＴＰとは無関係に、所定の表示位置に配置させるように構成することもできる。また、分割数ＤＩＶ＿ＣＮＴが上限に達しているときは、任意のアングル映像を非表示にして字幕映像を表示させることができる。また、字幕映像は、特定のアングル映像ＡＧＬ＿ＮＯに限定してもよいし、特定のフレーム配置位置Ｌ＿ＰＳＮに限定してもよい。
【０１０８】
（３−６）グループ番号の指定
マルチアングル期間に入り、Ｓ１００２において視聴者によりグループ選択画面を指定するための入力操作がなされる。Ｓ１００３においてグループ選択画面を表示するための内部的な設定を行う。Ｓ１００４においてその内部的な設定に基づいて表示制御データ１〜ｎを出力する。Ｓ１００５において映像表示部２６０に、例えば、図１５（ａ）に示したグループ選択画面を表示する。同図に示したように、グループ１は１塁側のアングル映像１、２を含み、グループ２は３塁側のアングル映像３、４、５を含み、グループ３はバックネット裏のアングル映像６、７を含む。なお、編集時に表示定義データとして、グループ名を定義できるようにすれば、再生時にグループ名も同時に表示することができる。例えば表示定義データのグループ１のグループ名を「１塁側」、グループ２を「３塁側」、グループ３を「バックネット裏」と定義しておけば、同図のように、表示することができる。
【０１０９】
次のループでＳ１００３において視聴者によりグループ２が指定されると、Ｓ１００３においては同図（ｂ）のように表示させるための表示態様の設定を行い、Ｓ１００４においては表示制御データ１〜ｎが映像合成部２５０へ出力される。そして、Ｓ１００５においては映像合成を行い、映像表示部２６０へ同図（ｂ）のように映像を表示する。このときも、指定されたグループ２のグループ名を表示することが可能である。
【０１１０】
８．その他変形例
以上本発明の一実施の形態について説明したが、本発明は上記実施の形態に何ら限定されるものではない。例えば、上記実施の形態では、マルチアングル期間におけるアングル映像の表示態様をナビゲーションパックＮＶのＤＳＩパケットのＤＳＩ情報部の未使用領域Ｕｎ＿ＵＳＥに配置した例を説明したが、図１６に示したようにＭＰＥＧ２のピクチャ層のユーザデータ部にこれらの情報を配置してもよい。この場合には、図１６に示したようにユーザデータ部が図３の未使用領域Ｕｎ＿ＵＳＥに示したものと同様に構成される。このように、ピクチャデータ毎にアングル映像の表示態様を設定すれば、画像一枚毎にアングル映像の表示態様を設定できるので非常に細かなタイミングでの制御が可能となる。
【０１１１】
更に、本実施の形態ではＤＶＤに多重化映像データを記録した例を説明したが、Ｂｌｕ−ｒａｙディスク等の光ディスク、ハードディスク、メモリ等の媒体に記録させることができる。多重化映像データは、映像編集装置や映像再生装置のハードディスク、磁気テープ、あるいは本体内部のメモリに記録させてもよい。
【０１１２】
また、本実施の形態ではアングルの映像の符号化方式として、ＭＰＥＧ２方式を採用しているが他の符号化方式でも適用可能である。
【０１１３】
また、本実施の形態では、未使用領域Ｕｎ＿ＵＳＥ等の所定領域へ表示定義データ１〜ｎを格納しているので、本実施の形態に係るＤＶＤは、「本実施の形態に係る映像再生装置以外の映像再生装置」によって再生することは当然可能である。
【産業上の利用可能性】
【０１１４】
本発明に係る映像編集装置及び映像編集方法は、アングル映像の表示態様を定義する表示定義データを所定領域に配置することができるものであるから、ＤＶＤ用の映像編集装置として有用である。
【０１１５】
本発明に係る映像再生装置及び映像再生方法は、編集者の意図が反映されたアングル映像の表示態様を定義する表示定義データを取得して、これに基づいて表示制御データを生成し、この表示制御データに基づいて映像を再生するものであるから、ＤＶＤ用の映像再生装置として有用である。
【０１１６】
本発明に係るアングル映像表示用データ及びアングル映像表示用データを記録した記録媒体は、ＤＶＤ用のマルチアングル期間におけるアングル映像の表示態様を記録させる媒体として有用である。
【図面の簡単な説明】
【０１１７】
【図１】本発明の実施の形態における映像編集装置のブロック構成図
【図２】本発明の実施の形態における表示態様設定部のブロック構成図
【図３】（ａ）ビデオオブジェクトユニットＶＯＢＵのデータ構造を示した図（ｂ）本発明の実施の形態におけるナビゲーションパックＮＶのデータ構造を示した図
【図４】本発明の実施の形態における映像再生装置のブロック構成図
【図５】本発明の実施の形態における表示態様制御部のブロック構成図
【図６】本発明の実施の形態におけるマルチアングル期間におけるアングル映像の編集処理手順を示したフローチャート
【図７】アングル映像の編集時／再生時における表示例を示した図
【図８】分割数ＤＩＶ＿ＣＮＴと分割タイプＤＩＶ＿ＴＰの設定例を示した図
【図９】座標配置位置Ｐ＿ＰＳＮと縮小率ＲＳＺ＿ＲＴに基づいたアングル映像の表示例を示した図
【図１０】本発明の実施の形態におけるマルチアングル期間におけるアングル映像の再生処理手順を示したフローチャート
【図１１】アングル映像の再生時における切り替えの表示例を示した図
【図１２】アングル映像の再生時におけるフレーム配置位置と縮小率を変更する際の表示例を示した図
【図１３】アングル映像の再生時における縮小率を自動的に変更する際の表示例を示した図
【図１４】アングル映像の再生時における字幕映像の表示例を示した図
【図１５】アングル映像の再生時におけるグループ選択の表示例を示した図
【図１６】本発明の実施の形態におけるピクチャ層のデータ構造を示した図
【図１７】従来の特開平１０−１５５１３８号によるマルチアングル映像の再生を示す図
【図１８】従来の特開２０００−１５６８４５号によるマルチアングル映像の再生を示す図
【符号の説明】
【０１１８】
１００    映像編集装置
１４０    表示態様設定部
１６０    多重化部
２００    映像再生装置
２４０    表示態様制御部
２５０    映像合成部
Ｕｎ＿ＵＳＥ    未使用領域
Ｍ    記録媒体
【図１】
2005191826.tif 000003
【図２】
2005191826.tif 000004
【図３】
2005191826.tif 000005
【図４】
2005191826.tif 000006
【図５】
2005191826.tif 000007
【図６】
2005191826.tif 000008
【図７】
2005191826.tif 000009
【図８】
2005191826.tif 000010
【図９】
2005191826.tif 000011
【図１０】
2005191826.tif 000012
【図１１】
2005191826.tif 000013
【図１２】
2005191826.tif 000014
【図１３】
2005191826.tif 000015
【図１４】
2005191826.tif 000016
【図１５】
2005191826.tif 000017
【図１６】
2005191826.tif 000018
【図１７】
2005191826.tif 000019
【図１８】
2005191826.tif 000020